(57)【要約】  【課題】  多段積層させた際に互いに結合することができる包装容器を提供する。  【解決手段】  下方が開口された略錐台形状の表部材２と裏部材３を重ね合わせて、表部材２の天板部２１と裏部材３の天板部３１との間に形成された収容空間１２に被包装物４を収容した複数個の本体１１を積層すると、各本体１１に設けられている結合手段１３としての爪部２３が積層方向に隣接する本体の凹部３３に嵌合して係止されるので、本体１１同士を連結して一体化することとなる。すなわち、表部材２の外錐面２２から外側に突出している爪部２３が、裏部材３の内錐面３２に設けられている凹部３３に嵌入されるが、爪部２３は天板部２１側に向かって徐々に隆起した略拡開形状をしていて、凹部３３はアンダーカット状に形成されているので、凹部３３に嵌入した爪部２３は、凹部３３に係止されることになる。【選択図】  図１
2006248590.tif 000002
【特許請求の範囲】
【請求項１】
下方が開口された略錐台形状の表部材および裏部材を重ね合わせた本体を備え、
前記表部材の天板部および前記裏部材の天板部間に形成された収容空間に被包装物を収容可能であるとともに、前記本体を多段積層可能な包装容器であって、
前記本体を他の本体に対して積層状態で結合する結合手段を有し、
前記結合手段が、
前記表部材の外錐面から積層方向に対して交差するとともに互いに離れる方向に突出し、かつ、前記天板部側に向かって徐々に隆起した略拡開形状に形成された爪部と、
前記裏部材の内錐面に設けられて前記各爪部が個々に係止可能なアンダーカット状に形成された凹部とを備えている包装容器。
【請求項２】
前記表部材および前記裏部材が略角錐台形状であるとともに、前記爪部および前記凹部がそれぞれ前記表部材および前記裏部材における対向する２面に対で形成されている請求項１記載の包装容器。
【請求項３】
前記表部材および前記裏部材が略角錐台形状であるとともに、前記爪部および前記凹部がそれぞれ前記表部材および前記裏部材における各角部に形成されている請求項１または請求項２に記載の包装容器。
【発明の詳細な説明】
【技術分野】
【０００１】
本発明は、携帯電話に交換可能に装着されるジャケットのような薄板状の製品を搬送、保管、展示、販売等の際に収納する包装容器に関するものである。
【背景技術】
【０００２】
近年、筐体に対して着脱可能なジャケットを複数種類の中から使用者が嗜好に応じて選択可能な携帯電話が知られている。このようなジャケットは略板状とされ、ブリスターパックと呼ばれる包装容器により梱包され、搬送・保管・展示・販売されることが多い（例えば特許文献１参照）。
このような包装容器は、薄板のプラスチック等からなり、下方が開口された略錐台形状の表部材と同様の形状をした裏部材を重ね合わせた本体を備え、表部材の天板部および裏部材の天板部間に形成された収容空間にジャケットを収納するものである。
この包装容器は、搬送時あるいは保管時、本体が他の包装容器の本体と入れ子状に組み合わせられて多段積層される。
【特許文献１】特開平６−１００００２４号公報（第１図）
【発明の開示】
【発明が解決しようとする課題】
【０００３】
しかしながら、従来の包装容器は、本体を入れ子状に組み合わせることにより積層状態を維持できるが、積層したものは一体化はしておらず、上段の包装容器と下段の包装容器とが容易に分離できるため、例えば搬送時には上段の包装容器が崩れないように注意しながら最下段の包装容器を保持する必要があり、複数個をまとめて取り扱うには煩雑であるという問題があった。
このような煩雑さは、包装容器の積層段数に比例して増加するため、解決が望まれていた。
【０００４】
本発明は、従来の問題を解決するためになされたもので、多段積層させた際に互いに結合することにより、安定して積層することができる包装容器を提供することを目的とする。
【課題を解決するための手段】
【０００５】
本発明の包装容器は、下方が開口された略錐台形状の表部材および裏部材を重ね合わせた本体を備え、前記表部材の天板部および前記裏部材の天板部間に形成された収容空間に被包装物を収容可能であるとともに、前記本体を多段積層可能な包装容器であって、前記本体を他の本体に対して積層状態で結合する結合手段を有し、前記結合手段が、前記表部材の外錐面から積層方向に対して交差するとともに互いに離れる方向に突出し、かつ、前記天板部側に向かって徐々に隆起した略拡開形状に形成された爪部と、前記裏部材の内錐面に設けられて前記各爪部が個々に係止可能なアンダーカット状に形成された凹部とを備えている構成を有している。
【０００６】
この構成により、下方が開口された略錐台形状の表部材と裏部材を重ね合わせて、表部材の天板部と裏部材の天板部との間に形成された収容空間に被包装物を収容した複数個の本体を積層すると、各本体に設けられている結合手段としての爪部が積層方向に隣接する本体の凹部に嵌合して係止されるので、本体同士を連結して一体化することとなる。
すなわち、表部材の外錐面から外側に突出している爪部が、裏部材の内錐面に設けられている凹部に嵌入されるが、爪部は天板部側に向かって徐々に隆起した略拡開形状をしていて、凹部はアンダーカット状に形成されているので、凹部に嵌入した爪部は、凹部に係止されることになる。
【０００７】
また、本発明の包装容器は、前記表部材および前記裏部材が略角錐台形状であるとともに、前記爪部および前記凹部がそれぞれ前記表部材および前記裏部材における対向する２面に対で形成されている構成を有している。
【０００８】
この構成により、表部材の対向する２面に爪部が対で設けられ、裏部材の対向する２面に凹部が対で設けられているので、凹部に嵌合している爪部が凹部から離脱する方向への表部材に対する裏部材の相対的移動を抑制することができる。
このため、積層されている複数個の本体を確実に一体化することができることになる。
【０００９】
さらに、本発明の包装容器は、前記表部材および前記裏部材が略角錐台形状であるとともに、前記爪部および前記凹部がそれぞれ前記表部材および前記裏部材における各角部に形成されている構成を有している。
【００１０】
この構成により、爪部および凹部は、略角錐台形状における変形しにくい角部に設けられているので、爪部は凹部から容易に脱することができず確実に係止することができることになる。
【発明の効果】
【００１１】
本発明は、表部材に爪部を設け、裏部材に表部材の爪部が嵌合する凹部を設けることにより、積層された上段の包装容器と下段の包装容器とが互いに連結されて一体化するので、搬送時あるいは保管時には上段の包装容器が崩れないように注意しながら最下段の包装容器を保持しなければならないという煩雑さを無くすことができるという効果を有する包装容器を提供することができるものである。
【発明を実施するための最良の形態】
【００１２】
以下、本発明の実施について、図面を用いて説明する。
図１（Ａ）は本発明の実施形態に係る包装容器を上方から見た斜視図、図１（Ｂ）は開けた状態の包装容器を示す斜視図、図２（Ａ）は表部材と裏部材とを開けた状態を示す底面図、図２（Ｂ）は（Ａ）中Ｂ−Ｂ方向から見た断面図、図２（Ｃ）は（Ａ）中Ｃ−Ｃ方向から見た断面図、図３（Ａ）は表部材と裏部材とを閉じた状態の底面図、図３（Ｂ）は（Ａ）中Ｂ−Ｂ方向から見た断面図、図４は爪部および凹部を示す断面図、図５（Ａ）は表部材と裏部材とを閉じた本体を複数個積層した状態の平面図、図５（Ｂ）は（Ａ）中Ｂ−Ｂ方向から見た断面図、図５（Ｃ）は（Ａ）中Ｃ−Ｃ方向から見た断面図、図５（Ｄ）は（Ａ）中Ｄ−Ｄ方向から見た断面図である。
【００１３】
図１に示すように、包装容器１は、下方が開口された略錐台形状の表部材２および裏部材３を重ね合わせた本体１１を備え、表部材２の天板部２１および裏部材３の天板部３１間に形成された収容空間１２に被包装物（４）を収容可能であるとともに、本体１１を多段積層可能な包装容器１であって、本体１１を他の本体１１に対して積層状態（図２参照）で結合する結合手段１３を有している。
結合手段１３は、表部材２の外錐面２２から積層方向（図１（Ａ）において上下方向）に対して交差するとともに互いに離れる方向に突出し、かつ、天板部２１側に向かって徐々に隆起した略拡開形状に形成された爪部２３、２３と、裏部材３の内錐面３２に設けられて各爪部２３が個々に係止可能なアンダーカット状に形成された凹部３３、３３とを備えている構成である。
【００１４】
図２に示すように、本体１１を形成する表部材２と裏部材３は、例えば薄板状のプラスチックから型押しで一体的に形成されており、連結部１４を介して相対的に回動可能に連結されている。表部材２は上向き（図２（Ｂ）においては下向き）に先細りとなる角錐台形状をしており、裏部材３は下向き（図２（Ｂ）においては上向き）に先細りとなる角錐台形状をしているので、連結部１４を回動中心として裏部材３を折り返すと、図１（Ａ）および図３（Ｂ）に示すように、裏部材３は表部材２の内部にぴったりと収納されるようになっている。
【００１５】
図１（Ｂ）および図２（Ｂ）に示すように、表部材２の天板部２１には、一段高くなって収納凹部２１ａが設けられており、裏部材３を表部材２の内部に嵌入させた状態で収納空間１２が形成されるようになっている（図３（Ｂ）参照）。
この収納空間１２に収容される被包装物としては、使用者の嗜好により携帯電話の筐体に交換可能に装着されるジャケット４を例示することができる。また、裏部材３の天板部３１に、内側に突出した補助収納凹部３４ａ、３４ｂを設けるようにすると、例えばジャケット４を取付けるためのネジや、細かな部品等を一緒に収納することができ、使用者にとって非常に便利である。さらに、表部材２の外周部２５に、ジャケット４を収納した包装容器１を展示等のためにぶら下げる引掛け穴２６を設けたり、あるいはリサイクル等の表示部２７を設けることもできる。
【００１６】
図４に示すように、表部材２側において結合手段１３を構成する爪部２３は、表部材２の対向する外錐面２２、２２の角部２２ａ（図１参照）において積層方向と直交する水平方向外側に突出して設けられている。爪部２３は、天板部２１に向かって外錐面２２の傾斜方向と反対方向に傾斜する傾斜面２３ａを有している。
一方、図４に示すように、裏部材３側において結合手段１３を構成する凹部３３は、内錐面３２を角部３２ａ（図１参照）において外側にへこませて形成されている。凹部３３には、表部材２側の爪部２３の傾斜面２３ａを係止する傾斜面３３ａが、内錐面３２の傾斜方向と反対方向に傾斜して設けられている。
すなわち、裏部材３を表部材２の内部に嵌合した状態では、凹部３３の傾斜面３２ａと爪部２３の傾斜面２３ａとは同じ方向に傾斜しており、略平行になる。これにより、凹部３３に嵌合した爪部２３の傾斜面２３ａを傾斜面３３ａによって係止することになる。
【００１７】
また、凹部３３は、裏部材３の外側から見ると、外側に突出して形成されることになる。このため、表部材２の外錐面２２に、凹部３３の外側が嵌合する締結凹部２４を設けると、裏部材３を表部材２の内側に嵌めて裏部材３の凹部３３を表部材２の締結凹部２４に嵌合させることにより、本体１１を閉じた状態で保持することができる。
なお、より確実に閉じた状態を保持する際には、さらに、表部材２と裏部材３とを溶着したり、接着剤やステープラー等の締結手段を用いて締結するのがよい。
【００１８】
図２および図４に示すように、裏部材３の対向する内錐面３２、３２間の間口寸法をＬとし、表部材２の対向する外錐面２２、２２に設けられている爪部２３の先端間距離である爪部間最大寸法をＬ１とし、対向する凹部３３の最深部間の距離をＬ２とすると、Ｌ１＝Ｌ２＞Ｌの関係となっている。
従って、図５に示すように、複数個の本体１１を積層すると、上側に隣接する本体１１ａの裏部材３の凹部３３に嵌入した本体１１の表部材２に形成されている爪部２３は、容易に凹部３３から脱することができないことになり、積層された両本体１１、１１ａ間を強固に連結して安定した積層状態とすることになる。
【００１９】
このような本発明の実施の形態の包装容器１によれば、表部材２に爪部２３を設け、裏部材３に表部材２の爪部２３が嵌合する凹部３３を設けることにより、積層された上段の包装容器１と下段の包装容器１とが互いに連結されて一体化することができる。
このため、搬送時あるいは保管時には上段の包装容器１が崩れないように注意しながら最下段の包装容器１を保持しなければならないという煩雑さを無くすことができる。
【００２０】
なお、以上の説明では、表部材２と裏部材３とを連結部１４によって回動可能に連結し、連結部１４を中心として回動させることにより表部材２と裏部材３とを一体化するように構成した例について説明したが、その他、表部材と裏部材を別体とすることもできる。
また、前述した包装容器１においては、結合手段１３である爪部２３を表部材２の角部２２ａにおいて隣接する外錐面２２、２２に跨って設けるとともに、凹部３３を裏部材３の角部３２ａにおいて隣接する内錐面３２、３２に跨って設けた場合を例示したが、各外錐面２２あるいは各内錐面３２に分離して設けることもできる。さらに、図６に示すように、爪部２３および凹部３３を各外錐面２２あるいは各内錐面３２の中央部に設けるようにすることもできる。
また、前述した包装容器１においては、結合手段１３である爪部２３および凹部３３の断面形状を略三角形状のものとしたが、図７に示すように、略円弧状の爪部２８および凹部３５ものとすることも可能である。この場合には、前述した締結凹部２４に対応する締結凹部２９も同様に略円弧状とする。
【産業上の利用可能性】
【００２１】
以上のように、本発明にかかる包装容器は、表部材に爪部を設け、裏部材に表部材の爪部が嵌合する凹部を設けることにより、積層された上段の包装容器と下段の包装容器とが互いに連結されて一体化するので、搬送時あるいは保管時には上段の包装容器が崩れないように注意しながら最下段の包装容器を保持しなければならないという煩雑さを無くすことができるという効果を有し、携帯電話に交換可能に装着されるジャケットのような薄板状の製品を搬送、保管、展示、販売等の際に収納する包装容器等として有用である。
【図面の簡単な説明】
【００２２】
【図１】（Ａ）は本発明の実施の形態に係る包装容器の斜視図、（Ｂ）は開けた状態の包装容器を示す斜視図である。
【図２】（Ａ）は表部材と裏部材とを開けた状態を示す底面図、（Ｂ）は（Ａ）中Ｂ−Ｂ方向から見た断面図、（Ｃ）は（Ａ）中Ｃ−Ｃ方向から見た断面図である。
【図３】（Ａ）は表部材と裏部材とを閉じた状態の底面図、（Ｂ）は（Ａ）中Ｂ−Ｂ方向から見た断面図である。
【図４】爪部および凹部を示す断面図である。
【図５】（Ａ）は表部材と裏部材とを閉じた本体を複数個積層した状態の平面図、（Ｂ）は（Ａ）中Ｂ−Ｂ方向から見た断面図、（Ｃ）は（Ａ）中Ｃ−Ｃ方向から見た断面図、（Ｄ）は（Ａ）中Ｄ−Ｄ方向から見た断面図である。
【図６】結合手段を別の位置に設けた例を示す斜視図である。
【図７】結合手段である爪部および凹部の別の形状の例を示す断面図である。
【符号の説明】
【００２３】
１  包装容器
１１  本体
１２  収容空間
１３  結合手段
２  表部材
２１  天板部
２２  外錐面
２２ａ  角部
２３  爪部
３  裏部材
３１  天板部
３２  内錐面
３２ａ  角部
３３  凹部
４  被包装物
【図１】
2006248590.tif 000003
【図２】
2006248590.tif 000004
【図３】
2006248590.tif 000005
【図４】
2006248590.tif 000006
【図５】
2006248590.tif 000007
【図６】
2006248590.tif 000008
【図７】
2006248590.tif 000009